(57)【要約】【課題】ボックスに取り付ける際の作業効率を向上させることができるエレベータ乗場表示装置を得る。【解決手段】表面に乗場表示機器が取り付けられ、乗場に設けられたボックス１の前面に形成された開口部１ａを塞ぐ化粧板２と、化粧板２の裏面に設けられ、ボックス１の内部に取り付けられる取付部材３とを備え、取付部材３は、化粧板２の裏面に固定され、化粧板２の裏面に沿って延びた第１のレール６と、第１のレール６に摺動可能に設けられ、ボックス１の上壁１ｂに面接触する第１の押さえ板７と、化粧板２の裏面側に設けられ、下壁１ｃに面接触する第２の押さえ板１１と、化粧板２の裏面に、第１の押さえ板７から離間して固定された第１の固定金８と、一端部が第１の押さえ板７に接続され、他端部が第１の固定金８に接続され、第１の押さえ板１１を上壁１ｂに向かって押圧する第１のスプリング９とを有している。【選択図】図２
2010173790.tif 000002
【特許請求の範囲】
【請求項１】
表面に乗場表示機器が取り付けられ、乗場に設けられたボックスの前面に形成された開口部を塞ぐ化粧板と、
前記化粧板の裏面に設けられ、前記ボックスの内部に取り付けられる取付部材とを備え、
前記取付部材は、
前記化粧板の裏面に固定され、前記化粧板の裏面に沿って延びた第１のレールと、
前記第１のレールに摺動可能に設けられ、前記ボックスの互いに対向した内壁の一方に接触する第１の押さえ板と、
前記化粧板の裏面側に設けられ、前記内壁の他方に接触する第２の押さえ板と、
前記化粧板の裏面に、前記第１の押さえ板から離間して固定された第１の固定金と、
一端部が前記第１の押さえ板に接続され、他端部が前記第１の固定金に接続され、前記第１の押さえ板を前記内壁の一方に向かって押圧する第１のスプリングとを有したことを特徴とするエレベータ乗場表示装置。
【請求項２】
前記取付部材は、
前記化粧板の裏面に固定され、前記第１のレールに沿って延びた第２のレールと、
前記化粧板の裏面に、前記第２の押さえ板から離間して固定された第２の固定金と、
一端部が前記第２の押さえ板に接続され、他端部が前記第２の固定金に接続され、前記第２の押さえ板を前記内壁の他方に向かって押圧する第２のスプリングとをさらに有したことを特徴とする請求項１に記載のエレベータ乗場表示装置。
【請求項３】
前記ボックスには、内側に向かって突出した突出体が設けられており、
前記第１の押さえ板および前記第２の押さえ板のそれぞれには、前記突出体と係合可能な孔が形成されていることを特徴とする請求項１または請求項２に記載のエレベータ乗場表示装置。
【請求項４】
前記孔は、前記化粧板の裏面に沿って延びた長孔であることを特徴とする請求項３に記載のエレベータ乗場表示装置。
【請求項５】
前記長孔は、長手方向の端部における内壁面が前記突出部と当接することで、前記化粧板が位置決めされるように形成されていることを特徴とする請求項４に記載のエレベータ乗場表示装置。
【請求項６】
前記第１の押さえ板には、前記化粧板に向かって突出した突出部が形成され、
前記第１の押さえ板は、前記化粧板に沿うとともに前記第２の押さえ板に向かって移動する移動体によって前記突出部が押圧されることにより、前記第１のスプリングの弾性力に逆らって前記第２の押さえ板に向かって移動することを特徴とする請求項１ないし請求項５の何れか１項に記載のエレベータ乗場表示装置。
【発明の詳細な説明】
【技術分野】
【０００１】
この発明は、乗場に設けられたボックスに取り付けられ、例えば、エレベータの運行状況等を表示するエレベータ乗場表示装置に関する。
【背景技術】
【０００２】
従来、乗場に設けられたボックスの内部に取り付けられ、ボックスの長手方向に伸縮可能な取付部材と、この取付部材に取り付けられ、表面に乗場表示機器が取り付けられた化粧板とを備えたエレベータ乗場表示装置が知られている（例えば、特許文献１参照）。
このものの場合、取付部材は、ボックスの内部の上端部に取り付けられる第１の取付金と、ボックスの内部の下端部に取り付けられる第２の取付金とを有し、第１の取付金に対して第２の取付金が摺動可能となっている。
ボックスの長手方向の寸法に合わせて、第１の取付金に対して第２の取付金を摺動して、前記取付部材の長手方向の寸法を調整した後、ボルトおよびナットを用いて、第１の取付金と第２の取付金とを固定する。
第１の取付金と第２の取付金とを固定した後、ボルトおよびナットを用いて、化粧板を取付部材に固定する。
【先行技術文献】
【特許文献】
【０００３】
【特許文献１】特開２００７−１３１４３３号公報
【発明の概要】
【発明が解決しようとする課題】
【０００４】
しかしながら、このものの場合、ボックスの長手方向の寸法に合わせて取付部材の長手方向の寸法を調整した後、ボルトおよびナットを用いて、第１の取付金具と第２の取付金具とを固定しなければならないとともに、第１の取付金具と第２の取付金具とを固定した後に、ボルトおよびナットを用いて化粧板を取付部材に固定しなければならず、エレベータ乗場表示装置をボックスに取り付ける際の作業効率が悪いという問題点があった。
【０００５】
この発明は、上述のような問題点を解決することを課題とするものであって、その目的は、ボックスに取り付ける際の作業効率を向上させることができるエレベータ乗場表示装置を提供するものである。
【課題を解決するための手段】
【０００６】
この発明に係るエレベータ乗場表示装置は、表面に乗場表示機器が取り付けられ、乗場に設けられたボックスの前面に形成された開口部を塞ぐ化粧板と、前記化粧板の裏面に設けられ、前記ボックスの内部に取り付けられる取付部材とを備え、前記取付部材は、前記化粧板の裏面に固定され、前記化粧板の裏面に沿って延びた第１のレールと、前記第１のレールに摺動可能に設けられ、前記ボックスの互いに対向した内壁の一方に面接触する第１の押さえ板と、前記化粧板の裏面側に設けられ、前記内壁の他方に面接触する第２の押さえ板と、前記化粧板の裏面に、前記第１の押さえ板から離間して固定された第１の固定金と、一端部が前記第１の押さえ板に接続され、他端部が前記第１の固定金に接続され、前記第１の押さえ板を前記内壁の一方に向かって押圧する第１のスプリングとを有している。
【発明の効果】
【０００７】
この発明に係るエレベータ乗場表示装置によれば、第１の押さえ板と第２の押さえ板とが近づくように、第１のスプリングの弾性力に逆らって第１の押さえ板を押圧し、第１の押さえ板および第２の押さえ板をボックスの内部に挿入した後、第１の押さえ板への押圧を解除することで、第１のスプリングの弾性力によって、第１の押さえ板が、ボックスの互いに対向した内壁の一方に押圧され、第２の押さえ板が、ボックスの互いに対向した内壁の他方に押圧されて、ボックスに固定されるので、ボックスに取り付ける際の作業効率を向上させることができる。
【図面の簡単な説明】
【０００８】
【図１】この発明の実施の形態１に係るエレベータ乗場表示装置を示す正面図である。
【図２】図１のＩＩ−ＩＩ線に沿った矢視断面図である。
【図３】図２のボックスを示す正面図である。
【図４】図３のボックスのＩＶ−ＩＶ線に沿った矢視断面図である。
【図５】図２のボックスの他の例を示す正面図である。
【図６】図５のボックスのＶＩ−ＶＩ線に沿った矢視断面図である。
【図７】図１のエレベータ乗場表示装置の裏側を示す斜視図である。
【図８】図７の第１の押さえ板と第２の押さえ板とを近づかせた状態を示すエレベータ乗場表示装置の斜視図である。
【図９】図３および図４のボックスにエレベータ乗場表示装置を取り付ける手順を示す図である。
【図１０】図５および図６のボックスにエレベータ乗場表示装置を取り付ける手順を示す図である。
【図１１】この発明の実施の形態１に係るエレベータ乗場表示装置の第１の押さえ板の変形例を示す斜視図である。
【図１２】この発明の実施の形態２に係るエレベータ乗場表示装置の第１の押さえ板を示す斜視図である。
【発明を実施するための形態】
【０００９】
以下、この発明の各実施の形態を図に基づいて説明するが、各図において、同一または相当の部材、部位については、同一符号を付して説明する。
実施の形態１．
図１はこの実施の形態に係るエレベータ乗場表示装置を示す正面図、図２は図１のＩＩ−ＩＩ線に沿った矢視断面図である。
この実施の形態に係るエレベータ乗場表示装置は、乗場に設けられたボックス１の前面に形成された開口部１ａを塞ぐ化粧板２と、この化粧板２の裏面に取り付けられ、ボックス１の内部に取り付けられる取付部材３とを備えている。
ボックス１は、上下方向に延びた直方体形状に形成されており、上壁１ｂ、下壁１ｃ、一対の横壁１ｄおよび底壁１ｅから構成されている。
化粧板２は、ボックス１の形状に合わせて、一方向に延びた長方形形状に形成されている。
化粧板２の表面には、エレベータの運行状態等を表示する乗場表示機器４が取り付けられている。
【００１０】
図３は図２のボックス１を示す正面図、図４は図３のボックス１のＩＶ−ＩＶ線に沿った矢視断面図である。
ボックス１の上壁１ｂおよび下壁１ｃのそれぞれには、内側に突出した突出体５が取り付けられている。
なお、突出体５は、ボックス１の上壁１ｂおよび下壁１ｃに限らず、図５および図６に示すように、一対の横壁１ｄの上端部および下端部に取り付けられてもよい。
【００１１】
図７は図１のエレベータ乗場表示装置の裏側を示す斜視図、図８は図７の第１の押さえ板７と第２の押さえ板１１とを近づかせた状態を示すエレベータ乗場表示装置の斜視図である。
取付部材３は、化粧板２の裏面に固定された第１のレール６と、この第１のレール６に摺動可能に取り付けられた第１の押さえ板７と、化粧板２の裏面に固定された第１の固定金８と、一端部が第１の押さえ板７に接続され、他端部が第１の固定金８に接続された第１のスプリング９とを有している。
第１のレール６は、化粧板２の裏面に沿うとともに、化粧板２の長手方向に延びている。
第１の押さえ板７は、ボックス１の互いに対向した上下の内壁の一方である上壁１ｂに面接触する。
第１の固定金８は、第１の押さえ板７から離間して配置されている。
第１のスプリング９は、第１の押さえ板７を上壁１ｂに向かって押圧するようになっている。
【００１２】
また、この取付部材３は、化粧板２の裏面に固定された第２のレール１０と、この第２のレール１０に摺動可能に取り付けられた第２の押さえ板１１と、化粧板２の裏面に固定された第２の固定金１２と、一端部が第２の押さえ板１１に接続され、他端部が第２の固定金１２に接続された第２のスプリング１３とを有している。
第２のレール１０は、第１のレール６に沿って延びている。
第２の押さえ板１１は、ボックス１の互いに対向した上下の内壁の他方である下壁１ｃに面接触する。
第２の固定金１２は、第１の押さえ板７側に、第２の押さえ板１１から離間して配置されている。
第２のスプリング１３は、第２の押さえ板１１を下壁１ｃに向かって押圧するようになっている。
【００１３】
第１の押さえ板７は、上壁１ｂおよび一対の横壁１ｄに対向したコ字部１４と、このコ字部１４から第１のレール６に向かって延びたレール摺動部１５とを有している。
コ字部１４は、化粧板２に垂直な方向から視た場合にコ字形状となるように形成されている。
このコ字部１４は、一方の横壁１ｄに対向する第１の横壁対向部１４ａと、上壁１ｂに対向する上壁対向部１４ｂと、他方の横壁１ｄに対向する第２の横壁対向部１４ｃとから構成されている。
第１の横壁対向部１４ａ、上壁対向部１４ｂおよび第２の横壁対向部１４ｃには、化粧板２の裏面に沿った長孔１４ｄが形成されている。
この長孔１４ｄの短手方向の幅は、突出体５の太さより少し大きくなるように形成されている。
これにより、突出体５が、図３および図４に示すように、上壁１ｂに設けられた場合と、図５および図６に示すように、横壁１ｄに設けられた場合の、どちらであっても、突出体５を長孔１４ｄに係合させることができる。
【００１４】
第１のレール６は、断面Ｔ字形状に形成されており、レール摺動部１５の第１のレール６側端部には、第１のレール６に係合するように、Ｔ字形状の溝（図示せず）が形成されている。
これにより、第１の押さえ板７が第１のレール６から外れることが抑制されている。
また、レール摺動部１５には、化粧板２に向かって突出した突出部１５ａが形成されている。
【００１５】
第２の押さえ板１１は、第１の押さえ板７と同様にして、コ字部１６とレール摺動部１７とを有している。
コ字部１６は、コ字部１４と同様にして、一方の横壁１ｄに対向する第１の横壁対向部１６ａと、下壁１ｃに対向する下壁対向部１６ｂと、他方の横壁１ｄに対向する第２の横壁対向部１６ｃとから構成されている。
第１の横壁対向部１６ａ、下壁対向部１６ｂおよび第２の横壁対向部１６ｃには、化粧板２の裏面に沿った長孔１６ｄが形成されている。
この長孔１６ｄの短手方向の幅は、突出体５の太さより少し大きくなるように形成されている。
【００１６】
第２のレール１０も、Ｔ字形状に形成されており、レール摺動部１７の第２のレール１０側端部には、第２のレール１０に係合するように、Ｔ字形状の溝（図示せず）が形成されている。
これにより、第２の押さえ板１１が第２のレール１０から外れることが抑制されている。
また、レール摺動部１７には、化粧板２に向かって突出した突出部１７ａが形成されている。
【００１７】
なお、第１のレール６、第２のレール１０、第１の押さえ板７および第２の押さえ板１１は、これらの形状に限らず、第１のレール６と第１の押さえ板７とが係合し、第２のレール１０と第２の押さえ板１１とが係合する形状であれば、その他の形状であってもよい。
また、第１の押さえ板７の長孔１４ｄおよび第２の押さえ板１１の長孔１６ｄは、これらの形状に限らず、長孔１４ｄおよび長孔１６ｄと突出体５とが係合する形状であれば、その他の形状であってもよい。
【００１８】
以上の構成により、第１のスプリング９の弾性力に逆らって第１の押さえ板７と第１の固定金８とを近づかせ、第２のスプリング１３の弾性力に逆らって第２の押さえ板１１と第２の固定金１２とを近づかせることで、第１の押さえ板７と第２の押さえ板１１とを近づかせることができる。
【００１９】
また、このエレベータ乗場表示装置において、第１の押さえ板７の上壁対向部１４ｂおよび第２の押さえ板１１の下壁対向部１６ｂは、化粧板２の短手方向に沿った幅の寸法Ａが、図５に示した、ボックス１の両横壁１ｄに対向して取り付けられた突出体５の先端部間の寸法Ｂより大きくなるように形成されている。
【００２０】
次に、この実施の形態に係るエレベータ乗場表示装置をボックス１に取り付ける手順について説明する。
図９は図３および図４のボックス１にエレベータ乗場表示装置を取り付ける手順を示す図である。
まず、平板形状に形成された、さらに一方向に延びて形成された棒形状の移動体１８を、第１の押さえ板７の突出部１５ａの反第２の押さえ板１１側、つまり、上壁１ｂに対向した領域に当接させる。
次に、下壁１ｃに設けられた突出体５を第２の押さえ板１１の長孔１６ｄに挿入させて、第２の押さえ板１１を下壁１ｃに接触させる。
さらに、第１のスプリング９および第２のスプリング１３の弾性力に逆らって、第１の押さえ板７と第２の押さえ板１１とを近づけさせる。
上壁１ｂに設けられた突出体５が第１の押さえ板７の長孔１４ｄに係合可能となるまで、第１の押さえ板７と第２の押さえ板１１とを近づかせた後、上壁１ｂに設けられた突出体５を第１の押さえ板７の長孔１４ｄに係合させて、移動体１８を用いた第１の押さえ板７の突出部１５ａへの押圧を解除する。
これにより、第１のスプリング９および第２のスプリング１３の弾性力によって、第１の押さえ板７が上壁１ｂに押圧され、第２の押さえ板１１が下壁１ｃに押圧されて、エレベータ乗場表示装置がボックス１に固定される。
【００２１】
図１０は図５および図６に示すボックス１にエレベータ乗場表示装置を取り付ける手順を示す図である。
この場合も、同様にして、移動体１８を用いて、上壁１ｂに設けられた突出体５が第１の押さえ板７の長孔１４ｄに係合可能となるまで、第１の押さえ板７と第２の押さえ板１１とを近づかせた後、上壁１ｂに設けられた突出体５を第１の押さえ板７の長孔１４ｄに係合させて、移動体１８を用いた第１の押さえ板７の突出部１５ａへの押圧を解除する。
【００２２】
次に、この実施の形態に係るエレベータ乗場表示装置をボックス１から取り外す手順について説明する。
まず、ボックス１の上端部と化粧板２の上端部との間に移動体１８を挿入し、さらに、この移動体１８を第１の押さえ板７の突出部１５ａに当接させる。
次に、第１のスプリング９および第２のスプリング１３の弾性力に逆らって、第１の押さえ板７と第２の押さえ板１１とを近づけさせる。
上壁１ｂに設けられた突出体５が第１の押さえ板７の長孔１４ｄから取り出されるまで、第１の押さえ板７と第２の押さえ板１１とを近づかせた後、化粧板２の上端部を反ボックス１側へ傾けて、ボックス１からエレベータ乗場表示装置を取り外す。
【００２３】
以上説明したように、この実施の形態に係るエレベータ乗場表示装置によれば、第１の押さえ板７と第２の押さえ板１１とが近づくように、第１のスプリング９の弾性力に逆らって第１の押さえ板７を押圧し、第１の押さえ板７および第２の押さえ板１１をボックス１の内部に挿入したのち、第１の押さえ板７への押圧を解除することで、第１のスプリング９の弾性力によって、第１の押さえ板７が、ボックス１の上壁１ｂに押圧され、第２の押さえ板１１がボックス１の下壁１ｃに押圧されて、ボックス１に固定されるので、ボルトおよびナット等を用いてエレベータ乗場表示装置をボックス１に固定する必要がなく、エレベータ乗場表示装置をボックス１に取り付ける際の作業効率を向上させることができる。
また、第１のスプリング９の伸縮によって、第１の押さえ板７と第２の押さえ板１１との距離を調節することができるので、長手方向の長さが異なる複数種類のボックス１であっても、同一のエレベータ乗場表示装置を取り付けることができる。
【００２４】
また、第１の押さえ板７が第１のスプリング９によって上壁１ｂに向かって押圧されるとともに、第２の押さえ板１１が第２のスプリング１３によって下壁１ｃに向かって押圧されるので、長手方向の長さが異なる複数種類のボックス１であっても、第１のスプリング９および第２のスプリング１３のそれぞれのばね定数を同一にすることで、エレベータ乗場表示装置を、ボックス１の長手方向の中心に配置することができる。
【００２５】
また、第１の押さえ板７には、上壁１ｂに設けられた突出体５と係合可能な長孔１４ｄが形成され、第２の押さえ板１１には、下壁１ｃに設けられた突出体５と係合可能な長孔１６ｄが形成されているので、エレベータ乗場表示装置をボックス１に取り付けた場合に、エレベータ乗場表示装置が、外部から衝突されたときにボックス１から外れてしまうことを抑制することができる。
【００２６】
また、第１の押さえ板７には、化粧板２の裏面に沿った長孔１４ｄが形成され、第２の押さえ板１１には、化粧板２の裏面に沿った長孔１６ｄが形成されているので、上端部おおび下端部に設けられた突出体５が、化粧板２の裏面に沿って異なる位置に配置された複数種類のボックス１であっても、同一のエレベータ乗場表示装置を取り付けることができる。
【００２７】
また、第１の押さえ板７には、化粧板２に向かって突出した突出部１５ａが形成されており、移動体１８を突出部１５ａに当接させて、移動体１８を化粧板２に沿って第２の押さえ板１１に向かって移動させることで、第１のスプリング９の弾性力に逆らって第１の押さえ板７と第２の押さえ板１１とが近づくので、簡単に、エレベータ乗場表示装置をボックス１に取り付けることができ、また、ボックス１からエレベータ乗場表示装置を取り外すことができる。
【００２８】
なお、この実施の形態では、第１の押さえ板７の長孔１４ｄおよび第２の押さえ板１１の長孔１６ｄの短手方向の幅は、ボックス１に設けられた突出体５の直径より少し大きく形成されとして説明したが、図１１に示すように、第１の押さえ板７の長孔１４ｄおよび第２の押さえ板１１の長孔１６ｄの短手方向の幅を、さらに大きく形成してもよい。
これにより、突出体５の設けられる深さ方向の位置が異なる複数種類のボックス１であっても、同一のエレベータ乗場表示装置を取り付けることができる。
【００２９】
実施の形態２．
図１２はこの実施の形態に係るエレベータ乗場表示装置の第１の押さえ板７を示す斜視図である。
この実施の形態に係るエレベータ乗場表示装置の第１の押さえ板７は、長孔１４ｄが、第１の横壁対向部１４ａから上壁対向部１４ｂの中間部まで、化粧板２の裏面に沿って形成されている。
第１の押さえ板７は、上壁対向部１４ｂに形成された長孔１４ｄの長手方向の端部における内壁面が、上壁１ｂに設けられた突出体５と当接することで、化粧板２を正面から視たときの左右方向の位置決めがされるようになっている。
第２の押さえ板１１は、第１の押さえ板７と同様の形状となっており、化粧板２を正面から視たときの左右方向の位置決めがされるようになっている。
第１の押さえ板７および第２の押さえ板１１の、化粧板２を正面から視たときの左右方向の位置決めがされることにより、化粧板２も、正面から視たときの左右方向の位置決めがされる。
その他の構成は、実施の形態１と同様である。
【００３０】
この実施の形態に係るエレベータ乗場表示装置によれば、第１の押さえ板７の長孔１４ｄおよび第２の押さえ板１１の長孔１６ｄは、長手方向の端部における内壁面が突出体５に当接することで、化粧板２が位置決められるように形成されているので、エレベータ乗場表示装置をボックス１に挿入した後に、エレベータ乗場表示装置の左右方向の位置を調節する必要がなく、エレベータ乗場表示装置をボックス１に取り付ける際の作業効率を向上させることができる。
【００３１】
なお、上記各実施の形態では、化粧板２の裏面に固定された第２のスプリング１３に摺動可能に設けられた第２の押さえ板１１について説明したが、勿論このものに限らず、化粧板２の裏面に固定された第２の押さえ板１１であってもよい。
【００３２】
また、上記各実施の形態では、第１の押さえ板７がボックス１の上壁１ｂに面接触し、第２の押さえ板１１がボックス１の下壁１ｃに面接触するエレベータ乗場表示装置について説明したが、第１の押さえ板７がボックス１の下壁１ｃに面接触し、第２の押さえ板１１がボックス１の上壁１ｂに面接触するエレベータ乗場表示装置であってもよい。
また、第１の押さえ板７がボックス１の一方の横壁１ｄに面接触し、第２の押さえ板１１がボックス１の他方の横壁１ｄに面接触するエレベータ乗場表示装置であってもよい。
【符号の説明】
【００３３】
１  ボックス、１ａ  開口部、１ｂ  上壁、１ｃ  下壁、１ｄ  横壁、１ｅ  底壁、２  化粧板、３  取付部材、４  乗場表示機器、５  突出体、６  第１のレール、７  第１の押さえ板、８  第１の固定金、９  第１のスプリング、１０  第２のレール、１１  第２の押さえ板、１２  第２の固定金、１３  第２のスプリング、１４  コ字部、１４ａ  第１の横壁対向部、１４ｂ  上壁対向部、１４ｃ  第２の横壁対向部、１４ｄ  長孔、１５  レール摺動部、１５ａ  突出部、１６  コ字部、１６ａ  第１の横壁対向部、１６ｂ  下壁対向部、１６ｃ  第２の横壁対向部、１６ｄ  長孔、１７  レール摺動部、１７ａ  突出部、１８  移動体。
【図１】
2010173790.tif 000003
【図２】
2010173790.tif 000004
【図３】
2010173790.tif 000005
【図４】
2010173790.tif 000006
【図５】
2010173790.tif 000007
【図６】
2010173790.tif 000008
【図７】
2010173790.tif 000009
【図８】
2010173790.tif 000010
【図９】
2010173790.tif 000011
【図１０】
2010173790.tif 000012
【図１１】
2010173790.tif 000013
【図１２】
2010173790.tif 000014